(57)【要約】      （修正有）【課題】全体構造、特に内部構造を簡単にすることにより、点検や補修が容易で、故障し難く、また液状食品材料の局部的な滞留を防止して、焦げ付きや腐敗の発生を未然に防ぎ、更に清掃が容易で、食品衛生上の問題を起こす危惧のない、そのような液状食品材料の脱気装置を提供する。【解決手段】全体としては密閉系を形成する側周面が円筒形の容器の上部に供給口を設けると共に下部に排出口を設け、双方の間にリング片を設けて、供給口から供給した液状食品材料が容器の上部における円筒形の側周面に沿って薄層を形成しつつ旋回するときの遠心力により気液分離を促すと共に、かかる液状食品材料がリング片から容器内の空間へ飛び出すときの該薄層の破壊により更に気液分離を促すようにした。【選択図】図１
0003144415.tif 000002
【実用新案登録請求の範囲】
【請求項１】
全体としては密閉系を形成する容器であって、側周面が円筒形の上部、該上部よりも内径の小さい側周面が円筒形の下部及び該上部と該下部とを双方が同一軸線となるよう連結するリング片を有する容器と、該容器の上部に設けられた供給口であって、液状食品材料を該容器の上部における円筒形の側周面に沿って供給するようにした供給口と、該容器の下部に設けられた排出口とを備え、供給口から供給した液状食品材料が容器の上部における円筒形の側周面に沿って薄層を形成しつつ旋回するときの遠心力により気液分離を促すと共に、かかる液状食品材料がリング片から容器内の空間へ飛び出すときの該薄層の破壊により更に気液分離を促すようにした液状食品材料の脱気装置。
【請求項２】
全体としては密閉系を形成する側周面が円筒形の容器と、該容器の上部に設けられた供給口であって、液状食品材料を該容器の上部における円筒形の側周面に沿って供給するようにした供給口と、該容器の下部に設けられた排出口と、該容器の上部と下部との間で該容器の側周面の内側に突設されたリング片とを備え、供給口から供給した液状食品材料が容器の上部における円筒形の側周面に沿って薄層を形成しつつ旋回するときの遠心力により気液分離を促すと共に、かかる液状食品材料がリング片から容器内の空間へ飛び出すときの該薄層の破壊により更に気液分離を促すようにした液状食品材料の脱気装置。
【請求項３】
リング片が、その内周部の内径が外周部の外径の５０〜９０％の範囲内にあるものである請求項１又は２記載の液状食品材料の脱気装置。
【請求項４】
リング片が、その内周部が外周部よりも下方に位置しており、該内周部と該外周部との間が縦断面で見て外側に湾曲したものである請求項１〜３のいずれか一つの項記載の液状食品材料の脱気装置。
【請求項５】
容器の上部に開閉扉が取付けられた請求項１〜４のいずれか一つの項記載の液状食品材料の脱気装置。
【請求項６】
容器の上部に排気口が設けられており、該排気口には吸気手段が接続されていて、該吸気手段により該容器内を減圧雰囲気とするようにした請求項１〜５のいずれか一つの項記載の液状食品材料の脱気装置。
【考案の詳細な説明】
【技術分野】
【０００１】
本考案は液状食品材料の脱気装置に関する。各種の液状食品材料を用いた容器詰め加工食品、なかでもトマトピューレやトマトケチャップ等のように粘稠な液状食品材料を用いた容器詰め加工食品の製造では、加工工程で液状食品材料が含気し易く、かかる含気に起因して、液状食品材料を容器へ充填する際に充填量不足を生じたり、また液状食品材料を容器へ充填密封したものを保存中に液状食品材料が酸化劣化したりする。したがって、液状食品材料を用いた容器詰め加工食品の製造では、液状食品材料を容器へ充填する前に、充分に脱気する必要がある。本考案はかかる液状食品材料の脱気装置に関する。
【背景技術】
【０００２】
従来、前記のような液状食品材料の脱気装置として、全体としては密閉系を形成する容器内に又は容器内を臨んで、回転ふるいや振動ふるいを設けたものが知られている（例えば、特許文献１〜３参照）。これらの従来装置は、密閉系の容器内を常圧又は真空雰囲気下にした状態で、回転ふるいや振動ふるいを作動させ、そこに液状食品材料を供給して、作動中の回転ふるいや振動ふるいの遠心力や前断力等により、液状食品材料に含まれる気泡を除くようにしたものである。
【０００３】
しかし、かかる従来装置には、作動用のモータを含む装置の全体構造、特に回転ふるいや振動ふるいに起因する装置の内部構造が複雑であるため、１）点検や補修が厄介であるだけでなく、故障し易い、２）液状食品材料が局部的に滞留し易く、これが焦げ付きや腐敗の原因になり易い、３）清掃が厄介であり、食品衛生上の問題を起こす危惧がある等、多くの問題がある。
【特許文献１】特開昭６３−１５１３０８号公報
【特許文献２】特開平７−１３６４０６号公報
【特許文献３】特開２００１−２５９３０５号公報
【考案の開示】
【考案が解決しようとする課題】
【０００４】
本考案が解決しようとする課題は、全体構造、特に内部構造を簡単にすることにより、点検や補修が容易で、故障し難く、また液状食品材料の局部的な滞留を防止して、焦げ付きや腐敗の発生を未然に防ぎ、更に清掃が容易で、食品衛生上の問題を起こす危惧のない、そのような液状食品材料の脱気装置を提供する処にある。
【課題を解決するための手段】
【０００５】
前記の課題を解決する請求項１の本考案は、全体としては密閉系を形成する容器であって、側周面が円筒形の上部、該上部よりも内径の小さい側周面が円筒形の下部及び該上部と該下部とを双方が同一軸線となるよう連結するリング片を有する容器と、該容器の上部に設けられた供給口であって、液状食品材料を該容器の上部における円筒形の側周面に沿って供給するようにした供給口と、該容器の下部に設けられた排出口とを備え、供給口から供給した液状食品材料が容器の上部における円筒形の側周面に沿って薄層を形成しつつ旋回するときの遠心力により気液分離を促すと共に、かかる液状食品材料がリング片から容器内の空間へ飛び出すときの該薄層の破壊により更に気液分離を促すようにした液状食品材料の脱気装置に係る。また請求項２の本考案は、全体としては密閉系を形成する側周面が円筒形の容器と、該容器の上部に設けられた供給口であって、液状食品材料を該容器の上部における円筒形の側周面に沿って供給するようにした供給口と、該容器の下部に設けられた排出口と、該容器の上部と下部との間で該容器の側周面の内側に突設されたリング片とを備え、供給口から供給した液状食品材料が容器の上部における円筒形の側周面に沿って薄層を形成しつつ旋回するときの遠心力により気液分離を促すと共に、かかる液状食品材料がリング片から容器内の空間へ飛び出すときの該薄層の破壊により更に気液分離を促すようにした液状食品材料の脱気装置に係る。
【０００６】
先ず、請求項１の本考案に係る液状食品材料の脱気装置（以下、単に請求項１の脱気装置ともいう）について説明する。請求項１の脱気装置は、全体としては密閉系を形成する容器を備えている。この容器は、側周面が円筒状の上部、該上部よりも内径の小さい側周面が円筒形の下部及び該上部と該下部とを双方が同一軸線となるよう連結するリング片を有している。容器の上部には供給口が設けられており、該供給口は液状食品材料を該容器の上部における円筒形の側周面に沿って供給するよう設けられていて、また該容器の下部には排出口が設けられている。
【０００７】
容器の上部及び下部の側周面は前記したように円筒形になっているが、ここで円筒形というのは、実質的に円筒形という意味であり、例えば上方に向かって内径がやや狭くなる円錐台形や、逆に上方に向かって内径がやや広くなる逆円錐台形のもの等も含む意味である。かかる容器は全体として密閉系を形成しており、したがって該容器の上部は天面を、また該容器の下部は底面を有している。天面及び底面の形状は特に制限されないが、天面は通常、ドーム形になっており、また底面は通常、漏斗形になっていて、その最下端部に前記の排出口が開設されている。
【０００８】
請求項１の脱気装置は、容器の上部における供給口から円筒形の側周面に沿って供給した液状食品材料が該容器の上部における円筒形の側周面に沿って薄層を形成しつつ旋回するときの遠心力により気液分離を促すと共に、かかる液状食品材料がリング片から容器内の空間へ飛び出すときの該薄層の破壊により更に気液分離を促すようになっている。
【０００９】
次に、請求項２の本考案に係る液状食品材料の脱気装置（以下、単に請求項２の脱気装置ともいう）について説明する。請求項２の脱気装置も、全体としては密閉系を形成する容器を備えており、この容器は側周面が円筒状になっている。容器の上部には供給口が設けられており、該供給口は液状食品材料を該容器の上部における円筒形の側周面に沿って供給するよう設けられていて、また該容器の下部には排出口が設けられている。そしてかかる容器の上部と下部との間においてその側周面の内側にリング片が突設されている。
【００１０】
容器の上部及び下部の側周面は前記したように円筒形になっているが、ここで円筒形というのは、請求項１の脱気装置の場合と同様、実質的に円筒形という意味であり、例えば上方に向かって内径がやや狭くなる円錐台形や、逆に上方に向かって内径がやや広くなる逆円錐台形のもの等も含む意味である。かかる容器は全体として密閉系を形成しており、したがって該容器の上部は天面を、また該容器の下部は底面を有している。天面及び底面の形状は特に制限されないが、これらも請求項１の脱気装置の場合と同様、天面は通常、ドーム形になっており、また底面は通常、漏斗形になっていて、その最下端部に前記の排出口が開設されている。
【００１１】
請求項２の脱気装置も、請求項１の脱気装置の場合と同様、容器の上部における供給口から円筒形の側周面に沿って供給した液状食品材料が該容器の上部における円筒形の側周面に沿って薄層を形成しつつ旋回するときの遠心力により気液分離を促すと共に、かかる液状食品材料がリング片から容器内の空間へ飛び出すときの該薄層の破壊により更に気液分離を促すようになっている。
【００１２】
請求項１及び２の脱気装置において、供給口の数、大きさ、形状等は特に制限されない。供給口の数は例えば２個以上とすることもできるが、通常は１個とする。また供給口の開口部は、その相対側から見て、例えば正方形とすることもできるが、通常は長方形とする。更に供給口の開口部が指向する方向は、例えば斜め上向き又は斜め下向きとすることもできるが、通常は水平向きとする。かかる供給口は通常、容器の上部における円筒形の側周面に沿ってその上下方向中央部を含むか又は含まない位置のやや上側に設ける。供給口から供給した液状食品材料が容器の上部における円筒形の側周面に沿ってより好ましい状態で薄層を形成しつつ旋回するようにするためである。
【００１３】
また請求項１及び２の脱気装置において、リング片の大きさは特に制限されないが、その内周部の内径が外周部の外径の５０〜９０％の範囲内にあるものが好ましい。リング片の形状も特に制限されず、水平面、傾斜面、湾曲面、階段状の段差面等、いずれであってもよいが、なかでもその内周部が外周部よりも下方に位置しており、該内周部と該外周部との間が縦断面で見て外側に湾曲したものが好ましい。共に液状食品がリング片から容器内の空間へより好ましい状態で飛び出して該液状食品の薄層をより充分に破壊するようにするためである。
【００１４】
更に請求項１及び２の脱気装置において、容器内部の観察、点検、補修等をし易くするため、該容器の上部、通常はその天面に覗き窓を兼ねるか又は兼ねない開閉扉を取付けるのが好ましい。また容器の上部、通常はその天面に排気口を設け、該排気口を例えば真空ポンプのような排気手段に接続して、該排気手段により、該容器内を減圧雰囲気とするようにするのが好ましい。
【考案の効果】
【００１５】
本考案によると、全体構造、特に内部構造が簡単であるため、点検や補修が容易で、故障し難く、また液状食品材料の局部的な滞留がないため、これに起因する焦げ付きや腐敗の発生がなく、しかも清掃が容易であるため、食品衛生上の問題も生じない。
【実施例】
【００１６】
図１は請求項１の脱気装置を例示する縦断面図、図２は図１と同じ脱気装置を示す横断面図、図３は図１のＡ−Ａ線部分拡大縦断面図である。図１〜３に示した脱気装置は、全体としては密閉系を形成する容器１１を備えている。この容器１１は、側周面が円筒状の上部１２、上部１２よりも内径の小さい側周面が円筒形の下部１３及び上部１２と下部１３とを双方が同一軸線となるよう連結するリング片１４を有している。容器１１の上部１２には供給口１５が設けられており、供給口１５は液状食品材料を容器１１の上部１２における円筒形の側周面に沿って供給するよう設けられていて、また容器１１の下部１３には排出口１６が設けられている。
【００１７】
容器１１は全体として密閉系を形成しており、容器１１の上部１２の天面１７はドーム形になっている。また容器１１の下部１３の底面１８は漏斗形になっており、その最下端部に前記の排出口１６が開設されている。供給口１５は１個開設されており、その開口部１９は相対側から見て長方形になっていて、開口部１９の指向方向は水平向きとなっている。かかる供給口１５は容器１１の上部１２における円形形の側周面に沿ってその上下方向中央部を含む位置のやや上側に設けられており、その基端部は図示しない液状食品材料の供給ポンプに接続されている。リング片１４はその内周部が外周部よりも下方に位置しており、該内周部と該外周部との間が縦断面で見て外側に湾曲した湾曲片となっていて、内周部の内径が外周部の外径の８０％に相当する大きさのものとなっている。
【００１８】
図１〜３に示した脱気装置は、容器１１の上部１２における供給口１５から円筒形の側周面に沿って供給した液状食品材料が容器１１の上部１２における円筒形の側周面に沿って薄層を形成しつつ旋回するときの遠心力により気液分離を促すと共に、かかる液状食品材料がリング片１４から容器１１内の空間へ飛び出すときの該薄層の破壊により更に気液分離を促すようになっている。
【００１９】
図４は請求項１の他の脱気装置を例示する縦断面図である。ここでは便宜上、図１と同様の構成部分については図１と同じ符号にａを付して示した。図４の脱気装置は、容器１１ａの上部１２ａの形状が上方に向かってその内径がやや広くなる逆円錐台形となっている点を除き、図１〜３に示した脱気装置と同様の構成になっている。
【００２０】
図５は請求項２の脱気装置を例示する縦断面図である。図５に例示した脱気装置は、全体としては密閉系を形成する容器２１を備えており、この容器２１は側周面が円筒状になっている。容器２１の上部２２には供給口２５が設けられており、供給口２５は液状食品材料を容器２１の上部２２における円筒形の側周面に沿って供給するよう設けられていて、また容器２１の下部２３には排出口２６が設けられている。そしてかかる容器２１の上部２２と下部２３との間においてその側周面の内側にリング片２４が突設されている。
【００２１】
容器２１は全体として密閉系を形成しており、容器２１の上部２２の天面２７はドーム形になっている。ドーム形の天面２７には覗き窓を兼ねる開閉扉３１が取付けられており、また天面２７には排気口３２が開設されていて、排気口３２は排気手段３３に接続され、排気手段３３により容器２１内が減圧雰囲気となるようになっている。容器２１の下部２３の底面２８は漏斗形になっており、その最下端部に前記の排出口２６が開設されていて、排出口２６には開閉バルブ３５が取付けられている。供給口２５は１個開設されており、その図示しない開口部は、図１〜３の脱気装置と同様、相対側から見て長方形になっていて、該開口部の指向方向は、水平向きとなっている。かかる供給口２５は容器２１の上部２２における円筒形の側周面に沿ってその上下方向中央部を含む位置のやや上側に設けられており、その基端部は図示しない液状食品材料の供給ポンプに接続されている。リング片２４はその内周部が外周部よりも下方に位置しており、該内周部と該外周部との間が縦断面で見て外側に湾曲した湾曲片となっていて、内周部の内径が外周部の外径の８０％に相当する大きさのものとなっている。
【００２２】
図５に示した脱気装置も、図１〜３に示した脱気装置の場合と同様、容器２１の上部２２における供給口２５から円筒形の側周面に沿って供給した液状食品材料が容器２１の上部２２における円筒形の側周面に沿って薄層を形成しつつ旋回するときの遠心力により気液分離を促すと共に、かかる液状食品材料がリング片２４から容器２１内の空間へ飛び出すときの該薄層の破壊により更に気液分離を促すようになっていて、これらを減圧雰囲気下で行なうようになっている。
【図面の簡単な説明】
【００２３】
【図１】本考案に係る液状食品材料の脱気装置を例示する縦断面図。
【図２】図１と同じ脱気装置を示す横断面図。
【図３】図１のＡ−Ａ線部分拡大縦断面図。
【図４】本考案に係る他の液状食品材料の脱気装置を例示する縦断面図。
【図５】本考案に係る更に他の液状食品材料の脱気装置を例示する縦断面図。
【符号の説明】
【００２４】
１１，１１ａ，２１  容器
１２，１２ａ，２２  上部
１３，１３ａ，２３  下部
１４，１４ａ，２４  リング片
１５，１５ａ，２５  供給口
１６，１６ａ，２６  排出口
１７，１７ａ，２７  天面
１８，１８ａ，２８  底面
１９                開口部
３１                開閉扉
３２                排気口
３３                排気手段
【図１】
0003144415.tif 000003
【図２】
0003144415.tif 000004
【図３】
0003144415.tif 000005
【図４】
0003144415.tif 000006
【図５】
0003144415.tif 000007